(57)【特許請求の範囲】
【請求項１】
変更前のＳＳＩＤ又は変更前の暗号キー情報である第１の設定を用いて通信する第１の通信部と、
変更後のＳＳＩＤ又は変更後の暗号キー情報である第２の設定を用いて通信する第２の通信部と、
無線ＬＡＮ設定を前記第１の設定から前記第２の設定に変更する変更手段と、
ネットワークを介して接続している外部装置と通信を行うネットワーク通信部と、
前記変更手段により前記無線ＬＡＮ設定が前記第１の設定から前記第２の設定に変更された後に、前記第１の設定を用いて接続する第１の通信端末に対して、前記第１の通信部を介して、前記第２の設定を通知する設定情報通知部と、を備える無線通信装置。
【請求項２】
前記第１の通信部は、
前記第１の通信端末へ前記第２の設定を通知した後に、前記第１の通信端末から前記第２の設定の通知に対する応答メッセージとは異なるメッセージを受信した場合、受信したメッセージを破棄する、請求項１に記載の無線通信装置。
【請求項３】
前記第１の通信部は、
前記第１の通信端末へ前記第２の設定を通知してから所定時間内に前記応答メッセージを受信しない場合、前記第１の通信端末と前記第１の通信部との間の接続を解除する、請求項２に記載の無線通信装置。
【請求項４】
前記第２の設定の入力を受け付けるデータ入力部をさらに備え、
前記第２の通信部は、
前記データ入力部を介して入力された前記第２の設定を用いて通信する、請求項１乃至３のいずれか１項に記載の無線通信装置。
【請求項５】
無線ＬＡＮ設定を、変更前のＳＳＩＤ又は変更前の暗号キー情報である第１の設定から変更後のＳＳＩＤ又は変更後の暗号キー情報である第２の設定に変更し、
前記無線ＬＡＮ設定を前記第１の設定から前記第２の設定に変更した後に、前記第１の設定を用いて接続してきた第１の通信端末に対して、前記第１の設定を用いて通信する第１の無線ＬＡＮ通信部を介して、前記第２の設定を通知し、
前記第２の設定を用いて接続してきた第２の通信端末と外部装置との間において通信されるデータを、前記第２の設定を用いて通信する第２の無線ＬＡＮ通信部及びネットワークを介して接続している外部装置と通信を行うネットワーク通信部を用いて中継する通信制御方法。
【請求項６】
無線ＬＡＮ設定を、変更前のＳＳＩＤ又は変更前の暗号キー情報である第１の設定から変更後のＳＳＩＤ又は変更後の暗号キー情報である第２の設定に変更し、
前記無線ＬＡＮ設定を前記第１の設定から前記第２の設定に変更した後に、前記第１の設定を用いて接続してきた第１の通信端末に対して、前記第１の設定を用いて通信する第１の無線ＬＡＮ通信部を介して、前記第２の設定を通知し、
前記第２の設定を用いて接続してきた第２の通信端末と外部装置との間において通信されるデータを、前記第２の設定を用いて通信する第２の無線ＬＡＮ通信部及びネットワークを介して接続している外部装置と通信を行うネットワーク通信部を用いて中継することをコンピュータに実行させるプログラム。
【発明の詳細な説明】
【技術分野】
【０００１】
本発明は無線通信装置に関し、特に無線ＬＡＮを用いた通信を実行する無線装置に関する。
【背景技術】
【０００２】
無線ＬＡＮ通信を用いる通信装置は、セキュリティを確保するために、暗号化したデータを送信することが多い。セキュリティ上の観点から、暗号化するために設定する暗号化情報は、定期的に変更されることが望ましい。さらに、無線ＬＡＮ通信においてアクセスポイントを識別するために用いられる識別子であるＳＳＩＤについても、定期的に変更されることが望ましい。なぜなら、ＳＳＩＤは、公開されている情報であるため、管理者の許可なく収集及び利用されることがあるからである。つまり、無線ＬＡＮ通信を行うために用いる情報は、定期的に変更されることが望ましい。
【０００３】
一方、近年、無線ＬＡＮ対応製品の普及により、アクセスポイントとして動作する親機に対して、多くの子機が接続している。ここで、親機の無線ＬＡＮ設定を変更した場合、帰属する子機１つ１つの設定を変更する必要がある。そのため、セキュリティの観点からは、親機における無線ＬＡＮ設定を変更することが望ましいが、子機における設定変更の手間を考慮した場合に、頻繁に無線ＬＡＮ設定を変更することができないという事情がある。
【０００４】
ここで、特許文献１には、複数のアクセスポイントを用いることによってネットワーク範囲を拡大するネットワーク構成が開示されている。ここで、アクセスポイントを新たに追加する場合、追加するアクセスポイントにおける操作ボタンを押下することによって、既存のアクセスポイントからセキュリティ設定情報等を取得することが開示されている。
【０００５】
さらに、特許文献２には、アクセスポイントにおける無線ＬＡＮ設定が変更された場合、特定の期間のみアクセスポイントにおける無線ＬＡＮ設定を変更前の無線ＬＡＮ設定に戻し、この特定の期間に、子機から変更前の無線ＬＡＮ設定を用いた接続を受け付けることが開示されている。子機は、特定の期間において変更前の無線ＬＡＮ設定を用いてアクセスポイントへ接続すると、アクセスポイントから変更後の無線ＬＡＮ設定内容を通知される。子機は、この変更後の無線ＬＡＮ設定内容を設定することによって、無線ＬＡＮ設定を変更することができる。これによって、特許文献２の子機は、特許文献１のようにボタン操作を行うことなく、アクセスポイントにおける無線ＬＡＮ設定変更後に、自動的に無線ＬＡＮ設定内容を変更することができる。
【先行技術文献】
【特許文献】
【０００６】
【特許文献１】特開２００６−０５０３７２号公報
【特許文献２】特開２００７−１８４７６４号公報
【発明の概要】
【発明が解決しようとする課題】
【０００７】
しかし、特許文献２においては、子機の無線ＬＡＮ設定を変更するために、アクセスポイントにおける無線ＬＡＮ設定を、変更前の無線ＬＡＮ設定へ戻す必要がある。つまり、無線ＬＡＮ設定が変更前の無線ＬＡＮ設定へ戻されている間、変更後の無線ＬＡＮ設定は無効となっているため、この間、変更後の無線ＬＡＮ設定を用いた通信をすることができないという問題がある。
【０００８】
本発明の目的は、このような課題を解決するために、通信を中断することなく無線ＬＡＮ設定を変更することができる無線通信装置、通信端末、通信制御方法及びプログラムを提供することにある。
【課題を解決するための手段】
【０００９】
本発明の第１の態様にかかる無線通信装置は、第１の設定を用いて通信する第１の通信部と、第２の設定を用いて通信する第２の通信部と、ネットワークを介して接続している外部装置と通信を行うネットワーク通信部と、前記第１の設定を用いて接続する第１の通信端末に対して、前記第１の通信部を介して、前記第２の設定を通知する設定情報通知部と、を備えるものである。
【００１０】
本発明の第２の態様にかかる通信端末は、無線通信装置において無線ＬＡＮ設定内容が変更された場合に、変更前の無線ＬＡＮ設定内容を用いて設定された通信経路を介して、変更後の無線ＬＡＮ設定内容を受信し、前記変更後の無線ＬＡＮ設定内容を受信した後に前記無線通信装置へ応答信号を送信する通信部と、前記変更後の無線ＬＡＮ設定内容を受信すると、自律的に受信した前記変更後の無線ＬＡＮ設定内容を設定する情報設定部と、を備えるものである。
【００１１】
本発明の第３の態様にかかる通信制御方法は、変更前の無線ＬＡＮ設定内容を用いて接続してきた第１の通信端末に対して、変更前の無線ＬＡＮ設定内容を用いて通信する第１の無線ＬＡＮ通信部を介して、変更後の無線ＬＡＮ設定内容を通知し、変更後の無線ＬＡＮ設定内容を用いて接続してきた第２の通信端末と外部装置との間において通信されるデータを、変更後の無線ＬＡＮ設定内容を用いて通信する第２の無線ＬＡＮ通信部及びネットワークを介して接続している外部装置と通信を行うネットワーク通信部を用いて中継するものである。
【００１２】
本発明の第４の態様にかかるプログラムは、変更前の無線ＬＡＮ設定内容を用いて接続してきた第１の通信端末に対して、変更前の無線ＬＡＮ設定内容を用いて通信する第１の無線ＬＡＮ通信部を介して、変更後の無線ＬＡＮ設定内容を通知し、変更後の無線ＬＡＮ設定内容を用いて接続してきた第２の通信端末と外部装置との間において通信されるデータを、変更後の無線ＬＡＮ設定内容を用いて通信する第２の無線ＬＡＮ通信部及びネットワークを介して接続している外部装置と通信を行うネットワーク通信部を用いて中継することをコンピュータに実行させるものである。
【発明の効果】
【００１３】
本発明により、通信を中断することなく無線ＬＡＮ設定を変更することができる無線通信装置、通信端末、通信制御方法及びプログラムを提供することができる。
【図面の簡単な説明】
【００１４】
【図１】実施の形態１にかかる無線通信装置の構成図である。
【図２】実施の形態１にかかる無線通信装置の構成図である。
【図３】実施の形態２にかかる無線通信装置の構成図である。
【図４】実施の形態２にかかる子機の構成図である。
【図５】実施の形態２にかかる無線通信装置における新ＷＬＡＮ設定情報の通知処理の流れを示す図である。
【図６】実施の形態２にかかる子機が旧ＷＬＡＮ設定接続から新ＷＬＡＮ設定接続へ切り替える処理の流れを示す図である。
【図７】実施の形態２にかかる子機と無線通信装置との間の接続及び切断処理の流れを示す図である。
【図８】実施の形態２にかかるＷＬＡＮ設定管理部保持データを説明する図である。
【図９】実施の形態３にかかる子機と無線通信装置との間の接続及び切断処理の流れを示す図である。
【図１０】実施の形態４にかかる無線通信装置の構成図である。
【図１１】実施の形態５にかかる無線通信装置の構成図である。
【発明を実施するための形態】
【００１５】
（実施の形態１）
以下、図面を参照して本発明の実施の形態について説明する。はじめに、図１を用いて本発明の実施の形態１にかかる無線通信装置２の構成例について説明する。無線通信装置２は、通信端末１と無線通信を行う。さらに、無線通信装置２は、ネットワーク３を介して外部装置４と接続している。次に、無線通信装置２の構成例について説明する。
【００１６】
無線通信装置２は、通信部５、通信部６、設定情報通知部７及びネットワーク通信部８を有している。通信部５は、通信端末１と、第１の設定を用いて通信する。通信部６は、通信端末１と、第１の設定とは異なる第２の設定を用いて通信する。
【００１７】
ネットワーク通信部８は、ネットワーク３を介して接続している外部装置４と通信を行う。さらに、設定情報通知部７は、第１の設定を用いて接続する通信端末１に対して、通信部５を介して、第２の設定を通信端末１へ通知する。
【００１８】
続いて、図２を用いて本発明の実施の形態１にかかる無線通信装置２０の構成例について説明する。無線通信装置２０は、無線ＬＡＮ通信部２１、無線ＬＡＮ通信部２２、無線ＬＡＮ設定情報通知部２３、データ通信制御部２５及びネットワーク通信部２７を有している。無線ＬＡＮ通信部２１は、図１の通信部５に相当する。無線ＬＡＮ通信部２２は、図１の通信部６に相当する。無線ＬＡＮ設定情報通知部２３は、図１の設定情報通知部７に相当する。また、通信端末３０及び通信端末４０は、無線ＬＡＮを用いて無線通信装置２０へアクセスする。外部装置１０は、ネットワーク１１を介して無線通信装置２０と接続している。
【００１９】
外部装置１０は、Ｗｅｂサーバ装置、ストレージ装置等であってもよく、携帯電話もしくはスマートフォン端末等の端末装置であってもよい。ネットワーク１１は、インターネット等の公衆通信ネットワークであってもよく、イントラネット等の企業内に閉じたネットワークであってもよい。
【００２０】
通信端末３０は、無線ＬＡＮ通信機能を有する端末装置である。例えば、通信端末３０は、携帯電話端末、スマートフォン端末、タブレット型通信端末もしくはパーソナルコンピュータ等であってもよい。
【００２１】
無線通信装置２０を管理するユーザは、セキュリティ対策等により、定期的にもしくは任意のタイミングに無線通信装置２０における無線ＬＡＮ設定を変更する。以下に、無線通信装置２０における無線ＬＡＮ設定が変更されたことを前提として、無線通信装置２０が有するそれぞれの構成要素に関して説明を行う。
【００２２】
無線ＬＡＮ通信部２１は、無線通信装置２０において無線ＬＡＮ設定が変更される前の無線ＬＡＮ設定内容を用いて通信端末３０と通信を行う。無線ＬＡＮ通信部２１は、複数の無線ＬＡＮ通信規格に対応した通信部であってもよい。
【００２３】
無線ＬＡＮ通信部２２は、無線通信装置２０において無線ＬＡＮ設定が変更された後の無線ＬＡＮ設定内容を用いて通信端末４０と通信を行う。無線ＬＡＮ通信部２２も無線ＬＡＮ通信部２１と同様に、複数の無線ＬＡＮ通信規格に対応した通信部であってもよい。
【００２４】
ネットワーク通信部２７は、ネットワーク１１を介して外部装置１０と通信を行う。ネットワーク通信部２７は、ネットワーク１１と有線回線を介して接続してもよく、無線回線を介して接続してもよい。
【００２５】
無線ＬＡＮ設定情報通知部２３は、通信端末３０が、変更前の無線ＬＡＮ設定内容を用いて無線通信装置２０へ接続してきた場合に、無線ＬＡＮ通信部２１を介して、変更後の無線ＬＡＮ設定内容を通信端末３０に通知する。
【００２６】
データ通信制御部２５は、通信端末４０が変更後の無線ＬＡＮ設定内容を用いて、外部装置１０と通信を行うために無線通信装置２０へ接続してきた場合に、通信端末４０と外部装置１０との間において通信されるデータを、無線ＬＡＮ通信部２２及びネットワーク通信部２７を用いて中継する。
【００２７】
つまり、無線ＬＡＮ通信部２２は、通信端末４０から変更後の無線ＬＡＮ設定内容を用いて接続され、通信端末４０から外部装置１０を宛先とするデータを受信した場合、受信したデータをデータ通信制御部２５へ出力する。データ通信制御部２５は、無線ＬＡＮ通信部２２から出力されたデータをネットワーク通信部２７へ出力する。また、ネットワーク通信部２７は、通信端末４０を宛先とするデータを外部装置１０から受信した場合、受信したデータをデータ通信制御部２５へ出力する。データ通信制御部２５は、ネットワーク通信部２７から出力されたデータを無線ＬＡＮ通信部２２へ出力する。
【００２８】
以上説明したように、本発明の実施の形態１にかかる無線通信装置２０は、無線ＬＡＮ通信部２１及び無線ＬＡＮ通信部２２を用いて、変更前の無線ＬＡＮ設定を用いた通信と、変更後の無線ＬＡＮ設定を用いた通信とを行うことができる。これより、無線ＬＡＮの設定を変更した後に、変更前の無線ＬＡＮ設定を用いて接続を行ってきた通信端末３０と通信を行うために、無線ＬＡＮの設定を元に戻す必要はない。そのため、変更後の無線ＬＡＮ設定を用いた通信を中断することなく、変更前の無線ＬＡＮ設定を用いて接続を行ってきた通信端末３０へ、変更後の無線ＬＡＮ設定内容を通知することができる。
【００２９】
（実施の形態２）
続いて、図３を用いて本発明の実施の形態２にかかる無線通信装置２０の構成例について説明する。ここでは、無線通信装置２０を、無線ＬＡＮ通信を行う際に用いられるアクセスポイントとして説明する。また、以下の記載において、無線ＬＡＮとの用語をＷＬＡＮと記載することもあるが、無線ＬＡＮとＷＬＡＮとは同じである。
【００３０】
図３の無線通信装置２０は、無線ＬＡＮ通信部２１、無線ＬＡＮ通信部２２、無線ＬＡＮ設定情報通知部２３、ＷＬＡＮ接続先管理部２４、データ通信制御部２５、ユーザ設定Ｉ／Ｆ２６及びネットワーク通信部２７を有している。
【００３１】
無線ＬＡＮ通信部２１は、ＷＬＡＮ接続制御部２１１及びＷＬＡＮ設定管理部２１２を有している。ここでは、無線ＬＡＮ通信部２１は、ユーザ等により無線ＬＡＮ設定が変更される前の無線ＬＡＮ設定（以下、旧ＷＬＡＮ設定と称する）を用いて、子機と接続し、通信を行う。無線ＬＡＮ通信部２１は、標準規格であるＷｉＦｉ（Wireless Fidelity）に規定されているＳＳＩＤ及び暗号化設定等を用いて子機と通信を行う。子機は、ＷＬＡＮ通信を用いてアクセスポイントと接続する通信端末である。例えば子機は、図２における通信端末３０もしくは通信端末４０に相当する。
【００３２】
ＷＬＡＮ設定管理部２１２は、旧ＷＬＡＮ設定情報を保持している。旧ＷＬＡＮ設定情報は、例えば、変更前のＳＳＩＤもしくは変更前の暗号キー情報等であってもよい。
【００３３】
ＷＬＡＮ接続制御部２１１は、ＷＬＡＮ設定管理部２１２に格納されている旧ＷＬＡＮ設定情報に従い、子機と接続する。ＷＬＡＮ接続制御部２１１は、子機が接続されると、子機が接続されたことをＷＬＡＮ接続先管理部２４へ通知する。さらに、ＷＬＡＮ接続制御部２１１は、子機から送信された通信データを無線ＬＡＮ設定情報通知部２３の新ＷＬＡＮ設定情報受信応答検知部２３２へ出力する。
【００３４】
無線ＬＡＮ通信部２２は、ＷＬＡＮ接続制御部２２１及びＷＬＡＮ設定管理部２２２を有している。ここでは、無線ＬＡＮ通信部２２は、ユーザ等により無線ＬＡＮ設定が変更された後の無線ＬＡＮ設定（以下、新ＷＬＡＮ設定と称する）を用いて、子機と接続し、通信を行う。
【００３５】
ＷＬＡＮ設定管理部２２２は、新ＷＬＡＮ設定情報を保持している。新ＷＬＡＮ設定情報は、旧ＷＬＡＮ設定情報と同様に、変更後のＳＳＩＤもしくは変更後の暗号キー情報等であってもよい。
【００３６】
ＷＬＡＮ接続制御部２２１は、ＷＬＡＮ設定管理部２２２に格納されている新ＷＬＡＮ設定情報に従い、子機と接続する。ＷＬＡＮ接続制御部２２１は、子機から送信された通信データをデータ通信制御部２５へ出力する。
【００３７】
無線ＬＡＮ設定情報通知部２３は、新ＷＬＡＮ設定情報データ生成部２３１、新ＷＬＡＮ設定情報受信応答検知部２３２及び子機切断タイマ２３３を有している。
【００３８】
新ＷＬＡＮ設定情報データ生成部２３１は、ＷＬＡＮ接続先管理部２４から出力された新ＷＬＡＮ設定情報を受け取ると、受け取った新ＷＬＡＮ設定情報を子機へ送信するために用いるデータフォーマットへ変換し、新ＷＬＡＮ設定情報データを生成する。新ＷＬＡＮ設定情報データ生成部２３１は、生成した新ＷＬＡＮ設定情報データを、ＷＬＡＮ接続制御部２１１を介して子機へ送信する。新ＷＬＡＮ設定情報データ生成部２３１は、新ＷＬＡＮ設定情報データを子機へ送信するために、新ＷＬＡＮ設定情報データをＷＬＡＮ接続制御部２１１へ出力するとともに、子機切断タイマ２３３へ新ＷＬＡＮ設定情報データを出力したことを通知する。
【００３９】
新ＷＬＡＮ設定情報受信応答検知部２３２は、ＷＬＡＮ接続制御部２１１から出力された通信データを受け取ると、通信データを解析する。新ＷＬＡＮ設定情報受信応答検知部２３２は、通信データを解析した結果、通信データが、新ＷＬＡＮ設定情報データ生成部２３１から送信された新ＷＬＡＮ設定情報データに対する応答データであった場合、応答データを受け取った旨の情報を子機切断タイマ２３３へ通知する。
【００４０】
新ＷＬＡＮ設定情報受信応答検知部２３２は、通信データを解析した結果、通信データが、新ＷＬＡＮ設定情報データ生成部２３１から送信された新ＷＬＡＮ設定情報データに対する応答データではなかった場合、通信データを破棄する。
【００４１】
子機切断タイマ２３３は、新ＷＬＡＮ設定情報データ生成部２３１から、新ＷＬＡＮ設定情報データを出力したことを通知された場合、タイマのカウントを開始する。また、子機切断タイマ２３３は、新ＷＬＡＮ設定情報受信応答検知部２３２から、新ＷＬＡＮ設定情報データに対する応答データを受け取った旨の情報を通知された場合、タイマのカウントを終了する。
【００４２】
子機切断タイマ２３３は、予め定められた時間が経過しても、新ＷＬＡＮ設定情報受信応答検知部２３２から応答データを受け取った旨の情報を通知されない場合、ＷＬＡＮ接続制御部２１１へ、子機との接続を解除もしくは切断することを指示するメッセージを出力する。ＷＬＡＮ接続制御部２１１は、子機との接続を解除もしくは切断することを指示するメッセージを受け取ると、子機との接続を解除もしくは切断する。
【００４３】
ＷＬＡＮ接続先管理部２４は、ユーザ設定Ｉ／Ｆ２６を介して新ＷＬＡＮ設定情報が入力されると、入力された新ＷＬＡＮ設定情報をＷＬＡＮ設定管理部２２２及びデータ通信制御部２５へ出力する。さらに、ＷＬＡＮ接続先管理部２４は、ＷＬＡＮ接続制御部２１１から子機が接続されたことを通知されると、新ＷＬＡＮ設定情報を新ＷＬＡＮ設定情報データ生成部２３１へ出力する。これにより、旧ＷＬＡＮ設定情報を用いて無線通信装置２０へ接続した子機に対して、新ＷＬＡＮ設定情報を通知することができる。
【００４４】
ユーザ設定Ｉ／Ｆ２６は、例えば、インターネットブラウザ等の一般的なユーザインタフェースであってもよい。ユーザ設定Ｉ／Ｆ２６は、ユーザから新ＷＬＡＮ設定情報が入力されると、入力された新ＷＬＡＮ設定情報をＷＬＡＮ接続先管理部２４へ出力する。
【００４５】
データ通信制御部２５は、ＷＬＡＮ接続先管理部２４から新ＷＬＡＮ設定情報が通知されると、ＷＬＡＮ接続制御部２２１とネットワーク通信部２７との間の通信を中継する。つまり、データ通信制御部２５は、ＷＬＡＮ接続先管理部２４から新ＷＬＡＮ設定情報が通知されると、ＷＬＡＮ接続制御部２２１とネットワーク通信部２７との間の通信を許可する。
【００４６】
データ通信制御部２５は、ＷＬＡＮ接続制御部２２１から外部装置１０を宛先とするデータを受け取った場合、受け取ったデータをネットワーク通信部２７へ出力する。さらに、データ通信制御部２５は、ネットワーク通信部２７から新ＷＬＡＮ設定情報を用いて接続している子機を宛先とするデータを受け取った場合、受け取ったデータをＷＬＡＮ接続制御部２２１へ出力する。
【００４７】
ネットワーク通信部２７は、ネットワーク１１と接続する。ネットワーク通信部２７は、ネットワーク１１を介して外部装置１０と通信を行う。
【００４８】
続いて、図４を用いて本発明の実施の形態２にかかる子機の構成例について説明する。子機は、通信端末３０もしくは通信端末４０に相当する。子機は、親機である無線通信装置２０を介してネットワーク通信を行う装置である。
【００４９】
子機は、ＷＬＡＮ制御部３１、ＷＬＡＮ設定情報処理部３２及び通常通信データ処理部３３を有している。ＷＬＡＮ制御部３１は、標準規格であるＷｉＦｉ（Wireless Fidelity）に規定されているＳＳＩＤ及び暗号化設定等を用いて無線通信装置２０と通信を行う。ＷＬＡＮ制御部３１は、ＷＬＡＮ接続制御部３１１及びＷＬＡＮ設定管理部３１２を有している。
【００５０】
ＷＬＡＮ設定管理部３１２は、ＷＬＡＮ設定情報を保持している。ＷＬＡＮ設定管理部３１２は、ＷＬＡＮ設定情報設定部３２３から新ＷＬＡＮ設定情報を受け取ると、保持しているＷＬＡＮ設定情報を新ＷＬＡＮ設定情報へ更新する。
【００５１】
ＷＬＡＮ接続制御部３１１は、ＷＬＡＮ設定管理部３１２が保持するＷＬＡＮ設定情報に従い、無線通信装置２０と接続を行う。また、ＷＬＡＮ接続制御部３１１は、無線通信装置２０から送信された通信データを受信すると、受信した通信データをＷＬＡＮ設定情報検知部３２１へ出力する。
【００５２】
さらに、ＷＬＡＮ接続制御部３１１は、ＷＬＡＮ設定情報検知部３２１から新ＷＬＡＮ設定情報に対する応答情報を含む新ＷＬＡＮ設定情報受信応答データを受け取ると、新ＷＬＡＮ設定情報受信応答データを無線通信装置２０へ送信する。さらに、ＷＬＡＮ接続制御部３１１は、通常通信データ処理部３３から通信データを受け取ると、通信データを無線通信装置２０へ送信する。
【００５３】
次に、ＷＬＡＮ設定情報処理部３２の構成について説明する。ＷＬＡＮ設定情報処理部３２は、ＷＬＡＮ設定情報検知部３２１、ＷＬＡＮ設定情報受信応答データ生成部３２２及びＷＬＡＮ設定情報設定部３２３を有している。
【００５４】
ＷＬＡＮ設定情報検知部３２１は、ＷＬＡＮ接続制御部３１１から出力された通信データを受け取ると、通信データを解析する。ＷＬＡＮ設定情報検知部３２１は、通信データが新ＷＬＡＮ設定情報を含んでいない場合、通信データを通常通信データ処理部３３へ出力する。ＷＬＡＮ設定情報検知部３２１は、ＷＬＡＮ接続制御部３１１から出力された通信データが新ＷＬＡＮ設定情報を含んでいる場合、新ＷＬＡＮ設定情報をＷＬＡＮ設定情報設定部３２３へ出力するとともに、新ＷＬＡＮ設定情報を受信した旨の情報をＷＬＡＮ設定情報受信応答データ生成部３２２へ通知する。
【００５５】
ＷＬＡＮ設定情報受信応答データ生成部３２２は、ＷＬＡＮ設定情報検知部３２１から新ＷＬＡＮ設定情報を受信した旨の情報を受け取ると、新ＷＬＡＮ設定情報受信応答データを生成する。さらに、ＷＬＡＮ設定情報受信応答データ生成部３２２は、生成したＷＬＡＮ設定情報受信応答データをＷＬＡＮ接続制御部３１１を介して無線通信装置２０へ送信する。
【００５６】
ＷＬＡＮ設定情報設定部３２３は、ＷＬＡＮ設定情報検知部３２１から新ＷＬＡＮ設定情報を受け取ると、ＷＬＡＮ設定管理部３１２へ新ＷＬＡＮ設定情報を出力する。つまり、ＷＬＡＮ設定情報設定部３２３は、ＷＬＡＮ設定管理部３１２へ新ＷＬＡＮ設定情報を出力し、ＷＬＡＮ設定管理部３１２を更新する。
【００５７】
通常通信データ処理部３３は、ＷＬＡＮ設定情報検知部３２１から通信データを受け取ると、一般的な通信データ処理を行う。通常通信データ処理部３３は、通信データを無線通信装置２０へ送信する場合、ＷＬＡＮ接続制御部３１１へ通信データを出力する。
【００５８】
続いて、図５を用いて本発明の実施の形態２にかかる無線通信装置２０における新ＷＬＡＮ設定情報の通知処理の流れについて説明する。はじめに、ＷＬＡＮ接続先管理部２４は、ＷＬＡＮ接続制御部２１１が旧ＷＬＡＮ設定情報を用いて子機と接続しているか否かを判定する（Ｓ４１）。
【００５９】
例えば、ＷＬＡＮ接続先管理部２４は、ＷＬＡＮ接続制御部２１１から子機と接続したことを示す情報を受け取っている場合、ＷＬＡＮ接続制御部２１１が旧ＷＬＡＮ設定情報を用いて子機と接続していると判定してもよい。もしくは、ＷＬＡＮ接続先管理部２４は、ＷＬＡＮ接続制御部２１１に対して、子機と接続しているか否かを問い合わせるメッセージを出力し、その応答信号に従って、ＷＬＡＮ接続制御部２１１が旧ＷＬＡＮ設定情報を用いて子機と接続しているか否かを判定してもよい。
【００６０】
ステップＳ４１において、ＷＬＡＮ接続先管理部２４においてＷＬＡＮ接続制御部２１１が旧ＷＬＡＮ設定情報を用いて子機と接続していると判定された場合、新ＷＬＡＮ設定情報データ生成部２３１は、ＷＬＡＮ接続先管理部２４から新ＷＬＡＮ設定情報を受け取り、ＷＬＡＮ接続制御部２１１へ新ＷＬＡＮ設定情報データを出力する（Ｓ４２）。ステップＳ４１において、ＷＬＡＮ接続先管理部２４においてＷＬＡＮ接続制御部２１１が旧ＷＬＡＮ設定情報を用いて子機と接続していないと判定された場合、ステップＳ４１の処理を繰り返す。
【００６１】
次に、子機切断タイマ２３３は、新ＷＬＡＮ設定情報データ生成部２３１が新ＷＬＡＮ設定情報データをＷＬＡＮ接続制御部２１１へ通知したことに伴い、子機切断タイマのカウントを開始する（Ｓ４３）。
【００６２】
次に、子機切断タイマ２３３は、子機切断タイマが予め定められた時間を経過しているか否かを判定する（Ｓ４４）。子機切断タイマ２３３は、子機切断タイマが予め定められた時間を経過していると判定した場合、つまり、タイムアウトしていると判定した場合、旧ＷＬＡＮ設定を用いて接続している子機との間の接続を切断する（Ｓ４７）。ＷＬＡＮ接続制御部２１１と子機との間の接続が切断された後は、ステップＳ４１の処理を繰り返す。
【００６３】
ステップＳ４４において、子機切断タイマ２３３は、タイムアウトしていないと判定した場合、子機から新ＷＬＡＮ設定情報受信応答データを受信したか否かを判定する（Ｓ４５）。子機切断タイマ２３３は、子機から新ＷＬＡＮ設定情報受信応答データを受信していないと判定した場合、ステップＳ４４の処理を繰り返す。子機切断タイマ２３３は、子機から新ＷＬＡＮ設定情報受信応答データを受信していると判定した場合、子機切断タイマのカウントを終了する（Ｓ４６）。子機切断タイマのカウントが終了された後は、ステップＳ４１の処理を繰り返す。
【００６４】
続いて、図６を用いて本発明の実施の形態２にかかる子機が旧ＷＬＡＮ設定接続から新ＷＬＡＮ設定接続へ切り替える処理の流れについて説明する。
【００６５】
はじめに、子機のＷＬＡＮ接続制御部３１１は、無線通信装置２０と旧ＷＬＡＮ設定情報を用いて接続している状態とする（Ｓ５１）。次に、ＷＬＡＮ設定情報検知部３２１は、新ＷＬＡＮ設定情報を含む通信データを受信したか否かを判定する（Ｓ５２）。ＷＬＡＮ設定情報検知部３２１は、新ＷＬＡＮ設定情報を含む通信データを受信していないと判定した場合、ステップＳ５２の処理を繰り返す。ＷＬＡＮ設定情報検知部３２１において、新ＷＬＡＮ設定情報を含む通信データを受信していると判定された場合、ＷＬＡＮ接続制御部３１１は、ＷＬＡＮ設定情報受信応答データ生成部３２２において生成された新ＷＬＡＮ設定情報受信応答データを無線通信装置２０へ送信する（Ｓ５３）。
【００６６】
次に、ＷＬＡＮ設定情報設定部３２３は、ＷＬＡＮ設定管理部３１２に新ＷＬＡＮ設定情報を設定する（Ｓ５４）。次に、ＷＬＡＮ接続制御部３１１は、ＷＬＡＮ設定管理部３１２から新ＷＬＡＮ設定情報への更新が通知されると、無線通信装置２０との間における旧ＷＬＡＮ設定情報を用いた接続を切断する（Ｓ５５）。
【００６７】
次に、ＷＬＡＮ接続制御部３１１は、ＷＬＡＮ設定管理部３１２に保持されている新ＷＬＡＮ設定情報を用いて無線通信装置２０と接続する（Ｓ５６）。
【００６８】
続いて、図７を用いて本発明の実施の形態２にかかる子機と無線通信装置２０との間の接続及び切断処理の流れについて説明する。
【００６９】
はじめに、子機は、旧ＷＬＡＮ設定情報を用いて、無線ＬＡＮ通信部２１に接続する（Ｓ６０）。次に、無線ＬＡＮ通信部２１のＷＬＡＮ接続制御部２１１は、新ＷＬＡＮ設定情報を子機へ通知するために、新ＷＬＡＮ設定情報データ通知メッセージを送信する（Ｓ６１）。次に、子機は、新ＷＬＡＮ設定情報データを受信したことを示す、新ＷＬＡＮ設定情報受信応答データ通知メッセージを無線ＬＡＮ通信部２１へ送信する（Ｓ６２）。
【００７０】
次に、子機のＷＬＡＮ設定情報設定部３２３は、ＷＬＡＮ設定管理部３１２に新ＷＬＡＮ設定情報を設定する（Ｓ６３）。次に、子機のＷＬＡＮ接続制御部３１１は、旧ＷＬＡＮ設定情報を用いた無線ＬＡＮ通信部２１との間の接続を切断するために、無線ＬＡＮ通信部２１へ切断メッセージを送信する（Ｓ６４）。次に、ＷＬＡＮ接続制御部３１１は、ＷＬＡＮ設定管理部３１２に保存されている新ＷＬＡＮ設定情報を用いて、無線ＬＡＮ通信部２２に接続するために、無線ＬＡＮ通信部２２へ接続メッセージを送信する（Ｓ６５）。
【００７１】
続いて、図８を用いて、ＷＬＡＮ設定情報を複数回変更する場合における、ＷＬＡＮ設定管理部２１２及びＷＬＡＮ設定管理部２２２の保持データについて説明する。本図は、旧ＷＬＡＮ設定情報Ａ、旧ＷＬＡＮ設定情報Ｂ、旧ＷＬＡＮ設定情報Ｃ、新ＷＬＡＮ設定情報の順番にＷＬＡＮ設定情報が更新したことを示している。現状は、ＷＬＡＮ設定管理部２１２が旧ＷＬＡＮ設定情報Ｃを有しており、ＷＬＡＮ設定管理部２２２が新ＷＬＡＮ設定情報を有していることを示している。
【００７２】
ＷＬＡＮ接続先管理部２４は、新しいＷＬＡＮ設定情報が設定されるたびに、無線ＬＡＮ設定情報通知部２３及びデータ通信制御部２５の接続先を、無線ＬＡＮ通信部２１及び無線ＬＡＮ通信部２２との間において切り替える。例えば、新たに旧ＷＬＡＮ設定情報Ｃが設定された際に、ＷＬＡＮ接続先管理部２４は、無線ＬＡＮ通信部２１に接続していた無線ＬＡＮ設定情報通知部２３を無線ＬＡＮ通信部２２に接続するように切り替える。さらに、ＷＬＡＮ接続先管理部２４は、無線ＬＡＮ通信部２２に接続していたデータ通信制御部２５を無線ＬＡＮ通信部２１へ接続するように切り替える。
【００７３】
この時、旧ＷＬＡＮ設定情報Ｂを用いて接続する子機４１は、無線通信装置２０に接続することができない。子機４１のように、自律的にＷＬＡＮ設定情報を更新することができない端末は、実施の形態３において説明するように、手動でＷＬＡＮ設定情報を更新する必要がある。旧ＷＬＡＮ設定情報Ｃを用いて接続する子機４２は、無線ＬＡＮ通信部２１に接続し、新ＷＬＡＮ設定情報を取得する。既に新ＷＬＡＮ設定情報を有する子機４３は、無線ＬＡＮ通信部２２に接続し、外部装置等と通信を行う。
【００７４】
以上説明したように、本発明の実施の形態２にかかる通信システムを用いることにより、子機は、無線通信装置２０から新ＷＬＡＮ設定情報を受け取ると、自律的に新ＷＬＡＮ設定情報を設定するように設定を変更することができる。これにより、子機を所持するユーザは、無線通信装置２０の設定が変更したことによる子機の設定変更作業が不要になるため、ユーザの負担が軽減される。
【００７５】
さらに、無線通信装置２０は、暗号化されている旧ＷＬＡＮ設定上の通信経路を介して新ＷＬＡＮ設定情報を子機へ送信する。そのため、新ＷＬＡＮ設定情報が第三者へ漏えいすることを防止することができる。
【００７６】
さらに、無線通信装置２０は、新ＷＬＡＮ設定情報を設定した無線ＬＡＮ通信部２２と接続した子機にのみ、インターネット等を介した外部装置との通信を許可するように構成されている。つまり、旧ＷＬＡＮ設定情報を用いて、インターネット等を介した外部装置の通信を禁止することによって、セキュリティを強化している。
【００７７】
さらに、無線通信装置２０は、マルチＳＳＩＤと称される機能を使用することによって、旧ＷＬＡＮ設定及び新ＷＬＡＮ設定の両方の接続を併存させることができる。そのため、旧ＷＬＡＮ設定から新ＷＬＡＮ設定、もしくは、新ＷＬＡＮ設定から旧ＷＬＡＮ設定へ切り替えている最中のデータ通信の中断等を防止することができる。
【００７８】
（実施の形態３）
続いて、図９を用いて、自律的に新ＷＬＡＮ設定情報を設定する処理を実行することができない子機と無線通信装置２０との間の接続及び切断処理の流れについて説明する。
【００７９】
はじめに、子機は、旧ＷＬＡＮ設定情報を用いて、無線ＬＡＮ通信部２１に接続する（Ｓ７０）。次に、無線ＬＡＮ通信部２１のＷＬＡＮ接続制御部２１１は、新ＷＬＡＮ設定情報を子機へ通知するために、新ＷＬＡＮ設定情報データ通知メッセージを送信する（Ｓ７１）。ここで、子機は、自律的に新ＷＬＡＮ設定情報を設定する処理を実行せず、さらに、無線通信装置２０に対して、新ＷＬＡＮ設定情報受信応答メッセージを送信することもない。そのため、無線ＬＡＮ通信部２１は、子機切断タイマ２３３が満了（タイムアウト）したことを検出する（Ｓ７２）。
【００８０】
次に、無線ＬＡＮ通信部２１は、子機切断タイマ２３３が満了したことを検出すると、子機との接続を切断する（Ｓ７３）。ここで、子機は、無線通信装置２０との間の接続が切断されたことを、ディスプレイ等に表示してもよい。これによって、子機を保持するユーザにおける、新ＷＬＡＮ設定情報の手動設定を促すことができる。子機を保持するユーザによって新ＷＬＡＮ設定情報の手動設定が実行されると（Ｓ７４）、ＷＬＡＮ接続制御部３１１は、ＷＬＡＮ設定管理部３１２に保存されている新ＷＬＡＮ設定情報を用いて、無線ＬＡＮ通信部２２に接続するために、無線ＬＡＮ通信部２２へ接続メッセージを送信する（Ｓ７５）。
【００８１】
以上説明したように、自律的に新ＷＬＡＮ設定情報を設定する処理を実行することができない子機を用いた場合においても、子機切断タイマ２３３を用いて、無線通信装置２０側から子機との間の接続を切断することができる。これによって、子機を保持するユーザに対して、手動により新ＷＬＡＮ設定情報を設定することを促すことができる。
【００８２】
（実施の形態４）
続いて、図１０を用いて本発明の実施の形態４にかかる無線通信装置２０の構成例について説明する。本図の無線通信装置２０は、図３の無線通信装置２０に、新ＷＬＡＮ設定情報自動生成部２８を追加した構成となっている。新ＷＬＡＮ設定情報自動生成部２８は、事前に設定した周期において、定期的に新ＷＬＡＮ設定情報を生成する。新ＷＬＡＮ設定情報自動生成部２８は、生成した新ＷＬＡＮ設定情報をＷＬＡＮ接続先管理部２４へ出力する。新ＷＬＡＮ設定情報自動生成部２８は、新ＷＬＡＮ設定情報を生成する際に、ＳＳＩＤ及び暗号キー等を、任意の値に設定してもよい。もしくは、新ＷＬＡＮ設定情報自動生成部２８は、ユーザ等により事前に作成されたＷＬＡＮ設定リスト等を用いて、新ＷＬＡＮ設定情報を生成してもよい。
【００８３】
以上説明したように、本発明の実施の形態４にかかる無線通信装置２０を用いることによって、無線通信装置２０を管理するユーザが、定期的にＷＬＡＮ設定情報を変更する操作を行う必要がなく、ユーザの負担が軽減する。また、定期的にＷＬＡＮ設定情報が変更されるため、同一のＷＬＡＮ設定情報を使用し続けるセキュリティリスクを回避することができる。
【００８４】
（実施の形態５）
続いて、図１１を用いて本発明の実施の形態５にかかる無線通信装置２０の構成例について説明する。図１１の無線通信装置２０は、図１０の無線通信装置２０に、子機識別部２３４を追加した構成となっている。無線通信装置２０は、子機識別部２３４を備えることによって、ユーザの指定した任意の子機（以下、登録子機と称する）に対してのみ新ＷＬＡＮ設定情報データを送信するように動作する。
【００８５】
子機識別部２３４は、ユーザ設定Ｉ／Ｆ２６を介して入力された登録子機の識別情報を取得する。識別情報は、例えば、ＭＡＣアドレス等のアドレス情報が用いられてもよい。
【００８６】
ここで、ＷＬＡＮ接続先管理部２４は、子機がＷＬＡＮ接続制御部２１１に接続されると、新ＷＬＡＮ設定情報データ生成部２３１へ新ＷＬＡＮ設定情報を出力する。また、ＷＬＡＮ接続先管理部２４は、新ＷＬＡＮ設定情報とともに、接続してきた子機の識別情報も新ＷＬＡＮ設定情報データ生成部２３１へ出力する。新ＷＬＡＮ設定情報データ生成部２３１は、新ＷＬＡＮ設定情報と、接続してきた子機の識別情報を取得すると、子機識別部２３４に登録子機に関する問い合わせを行う。具体的には、子機識別部２３４は、登録子機の識別情報を取得する。
【００８７】
新ＷＬＡＮ設定情報データ生成部２３１は、接続してきた子機の識別情報と、登録子機の識別情報とが一致した場合、新ＷＬＡＮ設定情報データを生成し、ＷＬＡＮ接続制御部２１１へ出力する。
【００８８】
また、新ＷＬＡＮ設定情報データ生成部２３１は、接続してきた子機の識別情報と、登録子機の識別情報とが一致しない場合、ＷＬＡＮ接続制御部２１１へ新ＷＬＡＮ設定情報データを出力しない。もしくは、新ＷＬＡＮ設定情報データ生成部２３１は、新ＷＬＡＮ設定情報データを生成しなくてもよい。この場合、子機は、新ＷＬＡＮ設定情報データを受信することができないため、新ＷＬＡＮ設定情報受信応答データを無線通信装置２０へ送信しない。そのため、無線通信装置２０は、子機切断タイマ２３３を用いてタイムアウトを検出すると、接続してきた子機との接続を切断する。
【００８９】
以上説明したように、新ＷＬＡＮ設定情報データを送信する子機を予め登録することによって、セキュリティを向上させることができる。
【００９０】
上述の実施の形態では、本発明をハードウェアの構成として説明したが、本発明は、これに限定されるものではない。本発明は、無線通信装置における図５の処理を、ＣＰＵ（Central Processing Unit）にコンピュータプログラムを実行させることにより実現することも可能である。）
【００９１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９２】
なお、本発明は上記実施の形態に限られたものではなく、趣旨を逸脱しない範囲で適宜変更することが可能である。
【００９３】
（付記１）第１の設定を用いて通信する第１の通信部と、第２の設定を用いて通信する第２の通信部と、ネットワークを介して接続している外部装置と通信を行うネットワーク通信部と、前記第１の設定を用いて接続する第１の通信端末に対して、前記第１の通信部を介して、前記第２の設定を通知する設定情報通知部と、を備える無線通信装置。
（付記２）無線ＬＡＮ設定を変更する変更手段をさらに備え、前記変更手段は、変更前の設定である、前記第１の設定から、変更後の設定である、前記第２の設定に変更する、付記１に記載の無線通信装置。
（付記３）前記第１の通信部は、前記第１の通信端末へ前記変更後の無線ＬＡＮ設定内容を通知した後に、前記第１の通信端末から前記無線ＬＡＮ設定内容の通知に対する応答メッセージとは異なるメッセージを受信した場合、受信したメッセージを破棄する、付記２に記載の無線通信装置。
（付記４）前記第１の通信部は、前記第１の通信端末へ前記変更後の無線ＬＡＮ設定内容を通知してから所定時間内に前記応答メッセージを受信しない場合、前記第１の通信端末と前記第１の無線ＬＡＮ通信部との間の接続を解除する、付記２又は３に記載の無線通信装置。
（付記５）前記変更後の無線ＬＡＮ設定内容の入力を受け付けるデータ入力部をさらに備え、前記第２の通信部は、前記データ入力部を介して入力された前記変更後の無線ＬＡＮ設定内容を用いて通信する、付記２乃至４のいずれか１項に記載の無線通信装置。
（付記６）
前記データ入力部は、
ユーザから入力される前記無線ＬＡＮ設定内容を受け付けるか、もしくは、定期的に生成される前記無線ＬＡＮ設定内容を受け付ける、付記５に記載の無線通信装置。
（付記７）前記第１の通信部及び前記第２の通信部は、異なるＳＳＩＤを有する、付記１乃至６のいずれか１項に記載の無線通信装置。
（付記８）無線通信装置において無線ＬＡＮ設定内容が変更された場合に、変更前の無線ＬＡＮ設定内容を用いて設定された通信経路を介して、変更後の無線ＬＡＮ設定内容を受信し、前記変更後の無線ＬＡＮ設定内容を受信した後に前記無線通信装置へ応答信号を送信する通信部と、前記変更後の無線ＬＡＮ設定内容を受信すると、受信した前記変更後の無線ＬＡＮ設定内容を設定する情報設定部と、を備える通信端末。
（付記９）変更前の無線ＬＡＮ設定内容を用いて接続してきた第１の通信端末に対して、変更前の無線ＬＡＮ設定内容を用いて通信する第１の無線ＬＡＮ通信部を介して、変更後の無線ＬＡＮ設定内容を通知し、変更後の無線ＬＡＮ設定内容を用いて接続してきた第２の通信端末と外部装置との間において通信されるデータを、変更後の無線ＬＡＮ設定内容を用いて通信する第２の無線ＬＡＮ通信部及びネットワークを介して接続している外部装置と通信を行うネットワーク通信部を用いて中継する通信制御方法。
（付記１０）無線通信装置において無線ＬＡＮ設定内容が変更された場合に、変更前の無線ＬＡＮ設定内容を用いて設定された通信経路を介して、変更後の無線ＬＡＮ設定内容を受信し、前記変更後の無線ＬＡＮ設定内容を受信すると、自律的に受信した前記変更後の無線ＬＡＮ設定内容を設定し、前記変更後の無線ＬＡＮ設定内容を設定した後に前記無線通信装置へ応答信号を送信する設定変更方法。
（付記１１）変更前の無線ＬＡＮ設定内容を用いて接続してきた第１の通信端末に対して、変更前の無線ＬＡＮ設定内容を用いて通信する第１の無線ＬＡＮ通信部を介して、変更後の無線ＬＡＮ設定内容を通知し、
変更後の無線ＬＡＮ設定内容を用いて接続してきた第２の通信端末と外部装置との間において通信されるデータを、変更後の無線ＬＡＮ設定内容を用いて通信する第２の無線ＬＡＮ通信部及びネットワークを介して接続している外部装置と通信を行うネットワーク通信部を用いて中継することをコンピュータに実行させるプログラム。
【符号の説明】
【００９４】
１  通信端末
２  無線通信装置
３  ネットワーク
４  外部装置
５  通信部
６  通信部
７  設定情報通知部
８  ネットワーク通信部
１０  外部装置
１１  ネットワーク
２０  無線通信装置
２１  無線ＬＡＮ通信部
２２  無線ＬＡＮ通信部
２３  無線ＬＡＮ設定情報通知部
２４  ＷＬＡＮ接続先管理部
２５  データ通信制御部
２６  ユーザ設定Ｉ／Ｆ
２７  ネットワーク通信部
２８  新ＷＬＡＮ設定情報自動生成部
３０  通信端末
３１  ＷＬＡＮ制御部
３２  ＷＬＡＮ設定情報処理部
３３  通常通信データ処理部
４０  通信端末
４１  子機
４２  子機
４３  子機
２１１  ＷＬＡＮ接続制御部
２１２  ＷＬＡＮ設定管理部
２２１  ＷＬＡＮ接続制御部
２２２  ＷＬＡＮ設定管理部
２３１  新ＷＬＡＮ設定情報データ生成部
２３２  新ＷＬＡＮ設定情報受信応答検知部
２３３  子機切断タイマ
２３４  子機識別部
３１１  ＷＬＡＮ接続制御部
３１２  ＷＬＡＮ設定管理部
３２１  ＷＬＡＮ設定情報検知部
３２２  ＷＬＡＮ設定情報受信応答データ生成部
３２３  ＷＬＡＮ設定情報設定部
【図１】
0006049080.tif 000002
【図２】
0006049080.tif 000003
【図３】
0006049080.tif 000004
【図４】
0006049080.tif 000005
【図５】
0006049080.tif 000006
【図６】
0006049080.tif 000007
【図７】
0006049080.tif 000008
【図８】
0006049080.tif 000009
【図９】
0006049080.tif 000010
【図１０】
0006049080.tif 000011
【図１１】
0006049080.tif 000012